(57)【要約】【課題】汚染物質を包含する土壌および地下水領域を正確、簡便かつ低コストで調査可能な地下汚染調査方法、及びそれに用いる揚水システムを提供する。【解決手段】土壌または地下水が汚染物質で汚染された領域に掘削された井戸と、その内側全周にわたって形成されたストレーナーと、井戸の内部に装入される揚水ユニットを備えた揚水システムであって、揚水ユニットは、本体が上蓋及び下蓋と、多数の孔を有する側面部と、その内部に内蔵されたポンプから構成され、かつ本体が井戸の内部をスライド可能に設置されており、地下水を揚水する際には、本体側面部がストレーナー壁面に密着することで、揚水ユニットの本体内部に専ら特定領域の地下水を流入させるようにしたことを特徴とする揚水システムなどによって提供。【選択図】図６
2007132088.tif 000002
【特許請求の範囲】
【請求項１】
汚染物質で汚染された土壌または地下水を含む汚染領域内に掘削された井戸と、井戸の内部全面にわたって形成されたストレーナーと、ストレーナーの内部に装入された昇降自在の揚水ユニットとを具備してなる、地下汚染調査に用いられる揚水システムであって、
揚水ユニットは、円筒状側面に地下水を採水するための多数の孔を有する本体部と、本体部の上面に固定された上蓋と、本体部の下面に固定された下蓋とからなり、一方、上蓋は、地上に地下水をくみ上げるための揚水管に固定され、かつ、本体部は、その内部に、揚水管の先端に装着された吸水ポンプを内蔵し、さらに、本体部をストレーナーの内面に沿ってスライドさせて調査すべき位置に誘導したとき、本体部の上部と下部の側面に設置された２つの密閉用シール材をストレーナー壁面に密着させて閉鎖することにより、本体部の内部に専ら特定領域から流入した地下水を閉じ込め、その後、閉じ込められた地下水を、吸水ポンプの稼働によって揚水管を通じて地上に揚水することを特徴とする揚水システム。
【請求項２】
前記シール材は、リング状の中空弾性体であり、その内部に圧縮空気を吹き込むと、本体部が井戸のストレーナー壁面に密着し、閉鎖されることを特徴とする請求項１に記載の揚水システム。
【請求項３】
前記揚水ユニットの本体部の高さは、２００〜５００ｍｍであることを特徴とする請求項１に記載の揚水システム。
【請求項４】
前記揚水ユニットは、本体部の側面で上部と下部に分割可能であり、その間に本体部と同一の口径を有する有孔円筒体を接続することで、その高さを調節することを特徴とする請求項１〜３のいずれかに記載の揚水システム。
【請求項５】
井戸内部の所定の深度に前記揚水ユニットを誘導し、次いで、密閉用シール材により揚水ユニットの側面部を井戸のストレーナー壁面と密着させた後、その位置で地下水を揚水し、引き続き、揚水ユニットを略一定の間隔で上方または下方にスライドさせる一連の操作を繰り返し行うことによって、それぞれの箇所で揚水した地下水中の汚染物質の濃度分布を調べ、その測定結果を利用して汚染領域の位置を推定することを特徴とする、請求項１〜４のいずれかに記載の揚水システムを用いる地下汚染調査方法。
【発明の詳細な説明】
【技術分野】
【０００１】
本発明は、地下汚染調査のための揚水システム、及びそれを用いた地下汚染調査方法に関し、より詳しくは、汚染物質を包含する土壌および地下水領域を正確、簡便かつ低コストで調査可能な地下汚染調査のための揚水システム、及びそれを用いた地下汚染調査方法に関する。
【背景技術】
【０００２】
我国においては、古くからクロム、カドミウム、鉛などの重金属による公害防止が叫ばれて来たが、近年、化学的な汚染物質である石油系化合物、有機塩素化合物、農薬（肥料）などが土壌や地下水を汚染し、深刻な社会問題となっている。
これらの地下汚染は、動植物の生育を直接的に阻害するばかりではなく、汚染物質の大気中への揮発・拡散により大気汚染を引き起こしたり、雨水とともに河川や湖沼、地下水へと汚染物質が流出して汚染が拡大したり、また、食物連鎖の上でも広範囲にわたって被害が拡大する危険性が高い。
【０００３】
地下汚染に対しての根本的な浄化対策としては、汚染物質を包含する土壌を掘削して地上で浄化し、清浄な土壌にして埋め戻す方法が行われており、その浄化方法としては焼却、水・薬品等での洗浄、或いは微生物の代謝機能を利用して汚染物質を分解するバイオレメディエーションなどが行われている。また、汚染領域に固化剤を注入し、固定化・安定化させる方法、或いは井戸からの汚染物質から揮発した有害ガス吸引による分離・無害化、または汚染物質が溶脱した地下水の揚水による土壌からの分離・無害化等の処理がある。
通常、これらの地下汚染に対する浄化方法を現地に適用する場合、効率良く安価に実施・展開するため、原位置の情報をより詳細に、かつ出来る限り正確に得ることが必要とされる。また、浄化期間を通じて浄化の進行を観測する上でも、より多くの情報量をとることが望まれる。すなわち、原位置の汚染状況および浄化期間の経時変化の情報が、より詳細に把握できるほど浄化の具体性が高まり、ひいては直接コスト低減へと結びつく。
【０００４】
これまでに、現地浄化へ向けた事前の原位置汚染状況の調査としては、ボーリング実施による土壌の深度別汚染濃度の調査、井戸設置による地下水の汚染濃度調査が実施されてきた。汚染物質を包含する土壌は、概ね地下水を媒体として汚染物質を放脱する場合が多い。よって、一般的に浄化開始から期間を通じて、原位置の汚染状況をモニターするには、主に地下水の観測が実施されている。
地下の汚染調査にあたり、これまで図１に示すように全深度にストレーナーを施した井戸が用いられているが、この方法では揚水範囲が広くなってしまい、汚染されていない領域からも地下水を揚水するため、深度方向の汚染状況を知る上では誤差が大きすぎるという問題があった。
【０００５】
一方、このような誤差を小さくするために、図２に示すように深度ごと所定の長さにストレーナーを施した井戸を用いることも行われているが、この場合、深度方向の情報を得るためには、深度の異なるストレーナーを施した井戸が少なくとも複数本必要であり、当然のことながらストレーナーの長さが短く井戸の本数が多いほど、より正確な地下情報を得ることが出来るが、これには必然的にコストが高くなるという問題があった。
【０００６】
また、地下情報を得るための調査方法や地下水の揚水方法に関しては、例えば、地盤中に、取水手段と注入手段とを有した井戸と、観測井とを設けておき、取水手段で調査すべき帯水層から地下水を取水し、観測井においてその水位を測定するとともに、取水した地下水を注入手段で他の帯水層に注入する方法が提案されている（特許文献１参照）。これにより、調査すべき帯水層の地下水を取水したときの水位変化を観測井で測定することによって、帯水層の透水量係数や貯留計数等のパラメータを求めることができ、また、調査すべき帯水層から取水した地下水を注入手段で他の帯水層に注入すれば構成としたの、下水道などへの放水量を最小限とすることができるとしている。
【０００７】
また、地盤改良のために地下水を地上に汲み上げるにあたり、圧縮空気を井戸に設置した複数のチャンバを有する揚水ユニットに向かって供給する方法も提案されている（特許文献２参照）。これは圧縮空気を供給することで、第１のチャンバ内の地下水が空気流に吸引され、空気流中で水が多数の粒子の形態に細分化されるので、圧縮空気の流れは、第２のチャンバから第３のチャンバへ大きい速度で移動し、このとき、第２の管の上端が取り囲む領域が低圧状態となり、また、その周囲の領域がこれよりも高圧の状態となり両領域間に圧力差が生じ、第１のチャンバに負圧が及ぶことで、任意の深度から揚水することを意図している。
【０００８】
さらに、土壌・地下水における汚染源を調査するに当り、土壌・地下水中の汚染物質と反応して痕跡を残す供試部材（反応性材料）を調査孔内に建て込み、土壌や地下水中の汚染物質と所定時間反応させた後に、これを抜き上げ、該供試部材の外表面に残された反応痕跡を測定することにより、汚染源の方向、深さ位置、さらには汚染の程度を検知できるようにする方法が提案されている（特許文献３参照）。ここでは、汚染物質として、ジクロロメタン、四塩化炭素等の有機塩素化合物を挙げ、これらに溶解する発泡スチロールを反応性材料とすることが好ましいとしている。
【０００９】
しかしながら、これらの方法には、いずれも井戸の深さ方向への地下調査に関する具体的な手法は記載されておらず、地下のどの領域が汚染されているかを容易に判断することができない。
このような中で、前述したように、深度の異なるストレーナーを施した複数本以上の井戸による調査方法と同等な精度で、簡便かつ低コストに実施できる揚水システムが切望されていた。
【特許文献１】特開平０８−３１１８５２
【特許文献２】構成とした。特開２０００−５５０００
【特許文献３】特開２００４−２９４３９４
【発明の開示】
【発明が解決しようとする課題】
【００１０】
本発明の目的は、上記の問題点に鑑み、汚染物質を包含する土壌および地下水領域を正確、簡便かつ低コストで調査可能な地下汚染調査のための揚水システム、及びそれを用いた地下汚染調査方法を提供することにある。
【課題を解決するための手段】
【００１１】
本発明者らは、上述した課題を解決するために鋭意研究を重ねた結果、土壌または地下水が汚染物質で汚染された領域に、全周にストレーナーが形成された井戸を１本施工し、汚染領域の所望とする深度から選択的に採水できるような特定の構造を有する揚水ユニットを持つ揚水システムを設置して、揚水ユニットの内部に専ら特定領域の地下水を流入させて揚水することで、汚染領域の位置を正確に、簡便かつ低コストで調査できることを見出し、本発明を完成するに至った。
【００１２】
すなわち、本発明の第１の発明によれば、汚染物質で汚染された土壌または地下水を含む汚染領域内に掘削された井戸と、井戸の内部全面にわたって形成されたストレーナーと、ストレーナーの内部に装入された昇降自在の揚水ユニットとを具備してなる、地下汚染調査に用いられる揚水システムであって、  揚水ユニットは、円筒状側面に地下水を採水するための多数の孔を有する本体部と、本体部の上面に固定された上蓋と、本体部の下面に固定された下蓋とからなり、一方、上蓋は、地上に地下水をくみ上げるための揚水管に固定され、かつ、本体部は、その内部に、揚水管の先端に装着された吸水ポンプを内蔵し、さらに、本体部をストレーナーの内面に沿ってスライドさせて調査すべき位置に誘導したとき、本体部の上部と下部の側面に設置された２つの密閉用シール材をストレーナー壁面に密着させて閉鎖することにより、本体部の内部に専ら特定領域から流入した地下水を閉じ込め、その後、閉じ込められた地下水を、吸水ポンプの稼働によって揚水管を通じて地上に揚水することを特徴とする揚水システムが提供される。
【００１３】
また、本発明の第２の発明によれば、第１の発明において、前記シール材は、リング状の中空弾性体であり、その内部に圧縮空気を吹き込むと、本体部が井戸のストレーナー壁面に密着し、閉鎖されることを特徴とする揚水システムが提供される。
また、本発明の第３の発明によれば、第１の発明において、前記揚水ユニットの本体部の高さは、２００〜５００ｍｍであることを特徴とする揚水システムが提供される。
さらに、本発明の第４の発明によれば、第１〜３のいずれかの発明において、前記揚水ユニットは、本体部の側面で上部と下部に分割可能であり、その間に本体部と同一の口径を有する有孔円筒体を接続することで、その高さを調節することを特徴とする揚水システムが提供される。
【００１４】
一方、本発明の第５の発明によれば、第１〜４のいずれかの発明に係り、井戸内部の所定の深度に前記揚水ユニットを誘導し、次いで、密閉用シール材により揚水ユニットの側面部を井戸のストレーナー壁面と密着させた後、その位置で地下水を揚水し、引き続き、揚水ユニットを略一定の間隔で上方または下方にスライドさせる一連の操作を繰り返し行うことによって、それぞれの箇所で揚水した地下水中の汚染物質の濃度分布を調べ、その測定結果を利用して汚染領域の位置を推定することを特徴とする揚水システムを用いる地下汚染調査方法が提供される。
【発明の効果】
【００１５】
本発明によれば、地下汚染調査および観測のために、汚染領域に全ストレーナーを施した井戸を設置し、当該井戸内部に本体上下で密閉可能な機構を持たせた揚水ユニットを装入し、次いで、揚水ユニットを所定の深度でストレーナーに密着・固定してから地下水を揚水し、その後、揚水ユニットを略一定の間隔で上方又は下方へスライドさせてから同様にして揚水するという一連の操作を繰り返すことで、地下の汚染状況がより詳細に把握することができる。これにより、汚染領域へ対しての具体的な浄化方策等が決定しやすくなり、ひいては直接コスト低減へと結びつくから、経済的メリットが大きい。
【発明を実施するための最良の形態】
【００１６】
次に、本発明の地下汚染調査のための揚水システム、及びそれを用いた地下汚染調査方法について、図面を用いて詳しく説明する。
【００１７】
１．揚水システム
本発明の揚水システムは、汚染物質で汚染された土壌または地下水を含む汚染領域内に掘削された井戸と、井戸の内部全面にわたって形成されたストレーナーと、ストレーナーの内部に装入された昇降自在の揚水ユニットとを具備してなる、地下汚染調査に用いられる揚水システムであって、揚水ユニットは、円筒状側面に地下水を採水するための多数の孔を有する本体部と、本体部の上面に固定された上蓋と、本体部の下面に固定された下蓋とからなり、一方、上蓋は、地上に地下水をくみ上げるための揚水管に固定され、かつ、本体部は、その内部に、揚水管の先端に装着された吸水ポンプを内蔵し、さらに、本体部をストレーナーの内面に沿ってスライドさせて調査すべき位置に誘導したとき、本体部の上部と下部の側面に設置された２つの密閉用シール材をストレーナー壁面に密着させて閉鎖することにより、本体部の内部に専ら特定領域から流入した地下水を閉じ込め、その後、閉じ込められた地下水を、吸水ポンプの稼働によって揚水管を通じて地上に揚水することを特徴とする。
【００１８】
すなわち、本発明は、次に詳述する揚水ユニットに、その上下で密閉可能な機構を持たせ、揚水ユニット内から揚水することによって所定の深度から揚水でき、また揚水ユニットに井戸内を上下にスライドできる機構も併せ持たせたことを特徴とするものである。
本発明における地下汚染調査の対象物質としては、地下水中に含まれる有害な汚染物質や、土壌から地下水へ溶脱する汚染物質であれば特に限定されず、例えば、炭化水素、有機塩素化合物、油脂類およびシアン化合物等が挙げられ、炭化水素としては、べンゼン、トルエン、エチルベンゼン、キシレン、ケトン類などを、有機塩素化合物としては、トリクロロエチレン、テトラクロロエチレン、ジクロロエチレン、ダイオキシン、ＰＣＢ、ＰＣＰ（ペンタクロロフェノール）などを、油脂類としては、ガソリン、軽油、灯油、重油、機械油、あるいは潤滑油などの石油化学製品を、シアン化合物としては、各種シアン化物、および鉄、ニッケル、銅等各種金属のシアン錯体をそれぞれ含むものである。
【００１９】
次に、本発明の揚水システムの概要を図４に示す。汚染物質が存在する現地サイトに井戸が掘削され、井戸内部の全周にストレーナーが形成されている。ストレーナーは、井戸の外壁から地下水のみを流出させるための筒体であって、その材料は特に制限されないが、通常は、ステンレスなど金属製か、塩化ビニルなどのプラスチック製であることが望ましい。
また、ストレーナーには、全周にわたり、直径１〜５ｍｍ程度の孔が多数設けられている。隣接する孔同士の間隔は、特に限定されるわけではないが、５〜２０ｍｍとすることが好ましい。孔の直径が５ｍｍを越えるか、孔の間隔が、５ｍｍ未満であると、揚水ユニットがスライドしたときシール材が損傷する恐れがあり、一方、孔の間隔が、２０ｍｍを超えると、汚染領域の位置を推定する際に誤差が大きくなることがある。
さらに、ストレーナーの内径は、特に制限されるわけではないが、井戸の内径にあわせて２００ｍｍ以上、特に３００ｍｍ以上が好ましい。２００ｍｍより内径が小さくなると揚水ユニットの構造上、その内部に揚水用のポンプを内蔵することが困難になる。ただし、内径が５００ｍｍを超えると、ポンプの装入は容易になるがコスト面で負担が大きくなるので好ましくない。
【００２０】
２．揚水ユニット
本発明の揚水ユニットは、上記揚水システムの主要部をなすものであり、図３に揚水ユニットの詳細を示す。揚水ユニットは、本体６が上蓋９及び下蓋７と、多数の孔１５を有する側面部と、その内部に内蔵されたポンプ１から構成され、かつ本体が井戸の内部をスライドした後、本体側面部がストレーナー１３壁面に密着することで、揚水ユニットの本体内部に専ら特定領域から流入した地下水を揚水するように構成されている。
【００２１】
本体は、その上部と下部に下蓋と上蓋が位置し、揚水ユニット本体の側面部には、全周にわたり、直径１〜３ｍｍ程度の小さな孔が多数設けられており、井戸から浸出する地下水をユニット内部へ導くようになっている。孔の大きさは、特に限定されるわけではないが、ストレーナーの孔よりも小さくすることが好ましい。隣接する孔同士の間隔は、特に限定されるわけではなく、１〜５ｍｍ程度でよいが、均一に分散していることが望ましい。孔の間隔が１ｍｍ未満であると、本体の強度が弱くなりポンプを稼動させたときに変形や損傷を受ける恐れがあり、一方、孔の間隔が、５ｍｍを超えると、相対的に孔の数が減って井戸から浸出する地下水を円滑にユニット内部へ導けなくなることがある。
【００２２】
また、下蓋は、ユニット内部を密閉するためにパッキンを設置してボルトで固定できるような構造にしている。上蓋は、揚水ユニット内部に揚水用のポンプを内装させるために、フィッティングを介してポンプからのパイプを貫通させることができる構造になっている。
揚水ユニット本体の材質は、使用する上で腐食等の影響を受けなければ特に限定されるものではないが、例えばステンレスや塩化ビニル等が好ましい。
【００２３】
揚水ユニット本体側面部は、その上部には本体よりも浅い位置、下部には本体よりも深い位置から揚水ユニット内部を密閉するためのリング状のシール材が固定されている。シール材は、井戸内部を上下にスライドするため、上述の密閉性を損なわずに、かつ揚水ユニットから離脱しないよう、確実に本体に固定できなければならない。
シール材の材質は、シール材上部より浅い部分およびシール材下部より深い部分から地下水の漏洩が無ければ、特に限定されるものではないが、一般的にＯリング等に利用されているゴム類、シリコン類、あるいはプラスチック類等の弾性材料であることが好ましい。シール材を中空状に成形し、内部に圧縮空気を供給できるようにすることが一層好ましい。こうして側面部上部と下部のシール材が、中空で内部に空気を送り込むことが可能な弾性材料を用いて成形されていることで、通常揚水ユニットをスライドする際は空気の供給を停止し、ストレーナーとの間隔を十分に確保することができ、容易に上下に動かすことが可能となる。
【００２４】
前記の揚水ユニットは、上蓋と下蓋の間隔が例えば２００〜５００ｍｍ、特に２５０〜４００ｍｍに設定されていることが望ましい。上蓋と下蓋の間隔、正確には、この上下のシール材の範囲内が揚水範囲となる。
【００２５】
このように揚水ユニット本体の上部および下部には、それぞれ上蓋、下蓋が取付けられ、通常は、上蓋と下蓋の間隔を変えることはできない。ところが、地下の汚染状況によっては、汚染領域の幅が大きいため、上蓋と下蓋の間隔を広げたい場合もある。本発明では、このような場合も想定して、図４に示すように、本体側面部が上部６ａと下部６ｂに２分割でき、それぞれの端部にねじ加工を施し、揚水ユニット接続管（有孔円筒）を接続できるようにしている。揚水ユニット接続管には本体と同様、井戸から浸出する地下水をユニット内部へ導くための孔１５が施される。これにより、所望とする採水範囲に合わせて長さを決め、または、雄ネジ・雌ネジの組み合わせで揚水ユニット接続管自体を連結させて、採水範囲を拡大することができる。なお、ねじの代わりにピンやフックなどを用いても良い。
【００２６】
本発明における揚水ユニットの内部には、揚水用のポンプ５が内蔵される。揚水ポンプは、井戸の深さに応じて、大きさ、性能を選定すればよい。一般的な浅井戸または深井戸に用いられる水中ポンプでよいが、特に軽量で小型のものが好ましい。
【００２７】
３．地下水調査方法
本発明の地下水調査方法は、従来の地下汚染の度合いを地下水で評価する地下汚染調査方法を前提に、わずか１本の井戸を掘削する以外は、井戸内を上下に自由にスライドでき、かつ所定の深度で留まって採水できる揚水ユニットを用いることで、地下深度ごとの汚染の状況を用意に調査できる方法である。
【００２８】
すなわち、本発明の地下水調査方法は、井戸内部の所定の深度に前記揚水ユニットを誘導し、次いで、密閉用シール材により揚水ユニットの側面部を井戸のストレーナー壁面と密着させた後、その位置で地下水を揚水し、引き続き、揚水ユニットを略一定の間隔で上方または下方にスライドさせる一連の操作を繰り返し行うことによって、それぞれの箇所で揚水した地下水中の汚染物質の濃度分布を調べ、その測定結果を利用して汚染領域の位置を推定することを特徴とする。
【００２９】
揚水ユニットは、井戸の内部をスライドし、所定の深度で留まり揚水するが、所定の深度で揚水ユニットを固定する方法としては、図６に示すように、先端に揚水ユニット１７を装着した揚水用パイプ１１を所定の深さまで挿入して井戸蓋で固定する方法や、地上までの揚水および導水にホースを用い、用水ユニットにチェーン等を取り付けて一方を井戸蓋１８に取り付け、深さを調節する方法などがある。
【００３０】
本発明の上記揚水ユニットにおいて、図５に示すように、本体側面部上部と下部のシール材１２を、中空で内部に空気を送り込むことが可能な弾性材料を用いて成形された構造とすれば、揚水ユニットをスライドする際は空気の供給を停止することにより、ストレーナー１３壁面との間隔が十分に確保され、容易に上下に動かすことができ、一方、所定の場所で固定し揚水を開始する際は、地上に設置した揚水装置３のコンプレッサーなどから空気をエアー供給ホース２１から供給し、シール材内部に圧力をかけ、井戸（ストレーナー）１３内壁と密着させることで、揚水ユニット内を密閉できる。
【００３１】
次に、水中ポンプを駆動させて、揚水ユニットの本体内部から地下水を地上に揚水する。十分な量の地下水が採取できたところで、ポンプを停止する。その後、揚水ユニットを略一定の間隔で上方または下方にスライドさせる。揚水ユニットをスライドさせる距離は、汚染物質の種類、量などによって異なるので一概には言えないが、１〜３ｍとすればよい。ただし、精度を高めるためには、略一定の間隔で一方向にスライドさせることが望ましい。そのためには、所定の長さの揚水管１１をつなぎ合わせて井戸に入れていくことができる。
これら一連の操作を繰り返し行って地下水を揚水し、地下水に含まれる汚染物質の濃度を定量する。最後に、この測定値を井戸の深さに対してプロットしたグラフを作成すれば、汚染領域の位置を推定することができる。
【００３２】
本発明のシステムを用いる調査方法によれば、初期の段階における調査に加え、その後の経時的な変化、特に深度方向における状態を継続的に観測することが可能である。例えば汚染領域に対し、浄化を実施した際の地下における浄化効果の追跡調査などに有効である。
【実施例】
【００３３】
次に、実施例、比較例を用いて、本発明をより具体的に説明するが、本発明は、これら実施例によって何ら限定されるものではない。
【００３４】
（実施例１）
地下情報の不明な汚染領域に、内径２００ｍｍで全ストレーナーを施した井戸を設置するとともに、本体（直径：１８０ｍｍ、孔の直径：１ｍｍ、上蓋と下蓋の間隔：５００ｍｍ）を厚さ２ｍｍのステンレス板で作製し、その内部に水中ポンプ（川本ポンプ社製、重量１２ｋｇ）を内蔵した揚水ユニットを用意した。
まず、この井戸内部に、先端に揚水ユニットを接続した長さ２０００ｍｍの揚水管を２本つなぎ合わせ、深さ４ｍの位置に揚水ユニットを固定して、ポンプを駆動して地下水を５０リットル揚水した後、それから１０リットル採取した。
その後、同様にして、揚水ユニットを下方にスライドさせ、６ｍ、８ｍ、１０ｍ、１２ｍ、１４ｍの各地点から揚水し、採取した地下水の汚染物質濃度を分析した。図７に結果を示したとおり、深８ｍ〜１０ｍ付近に汚染物質が高濃度で滞留している可能性を示唆する結果となった。
なお、上記揚水ユニット本体に代えて、図４に示す本体側面部に有孔円筒（長さ３００ｍｍ）を取り付け、上蓋と下蓋の間隔を７００ｍｍに延長して同様に試験した。これにより調査領域をさらに拡大することができた。
【００３５】
（比較例１）
実施例の揚水調査を実施する前に、地下水採水器としてベーラー（蓋つきボトル）を用いて、深さ５ｍ、７ｍ、１０ｍ、１３ｍ、１４．５ｍの地点から採水し、採取した地下水の汚染物質濃度を分析した。作業性が悪いというだけでなく、図７に結果を示したとおり、深さ７ｍよりも深い位置から汚染物質が検出され、その範囲内では汚染物質が高濃度で滞留している情報は得られなかった。
【００３６】
（比較例２）
比較例１に次いで、地下水揚水用のポンプをそのまま用いて、図１に示す従来の要領で、深さ３ｍ、４．５ｍ、６ｍ、７．５ｍ、９ｍ、１０．５ｍ、１２ｍ、１３．５ｍの地点から採水し、採取した地下水の汚染物質濃度を分析した。図７に結果を示したとおり、深さ４．５ｍよりも深い位置から汚染物質が検出され、その範囲内では汚染物質が高濃度で滞留しているというような情報は比較例１と同様に得られなかった。
【図面の簡単な説明】
【００３７】
【図１】従来の地下汚染調査により、全深度ストレーナー井戸から揚水した場合の概略図である。
【図２】従来の地下汚染調査において、採取したい地下水の深度に合わせてストレーナーを設置した井戸から揚水した場合の概略図である。
【図３】本発明における揚水ユニットの概略図である。
【図４】本発明における揚水ユニットに有孔円筒を取付けた状態の概略図である。
【図５】本発明における揚水ユニットのシール材として弾性体を用いた場合の概略図である。
【図６】本発明の揚水ユニットを備えた揚水システムの概略図である。
【図７】深度方向へ汚染調査した実施例および比較例の結果を示すグラフである。
【符号の説明】
【００３８】
１・・・・水中ポンプ
２・・・・全ストレーナー井戸
３・・・・揚水装置
４・・・・ストレーナー
５・・・・水中ポンプ
６・・・・揚水ユニット本体
６ａ・・・揚水ユニット本体上部
６ｂ・・・揚水ユニット本体下部
７・・・・揚水ユニット下蓋
８・・・・パッキン
９・・・・揚水ユニット上蓋
１０・・・フィッティング
１１・・・揚水管
１２・・・シール材
１３・・・全ストレーナー井戸
１４・・・井戸孔
１５・・・揚水ユニット孔
１６・・・蓋固定用ボルト
１８・・・井戸蓋
２１・・・エアー供給ホース
【図１】
2007132088.tif 000003
【図２】
2007132088.tif 000004
【図３】
2007132088.tif 000005
【図４】
2007132088.tif 000006
【図５】
2007132088.tif 000007
【図６】
2007132088.tif 000008
【図７】
2007132088.tif 000009